(57)【要約】【課題】臭気の発生を抑制できる画像形成装置を提供する。【解決手段】画像形成装置１００は、記録媒体Ｐに画像を形成する。画像形成装置１００は、定着部１５と、調整部２１１と、湿度計測部Ｓ１と、画素数算出部２１２とを備える。定着部１５は、記録媒体Ｐを加熱して記録媒体Ｐに画像を定着させる。調整部２１１は、定着部１５の定着温度を調整する。湿度計測部Ｓ１は、画像形成装置１００が設置された環境の湿度ＨＧを計測する。画素数算出部２１２は、記録媒体Ｐに形成する画像の画素数を算出する。調整部２１１は、湿度ＨＧと画素数とに基づいて、定着温度を調整する。【選択図】図１
2020086361.tif 000002
【特許請求の範囲】
【請求項１】
記録媒体に画像を形成する画像形成装置であって、
前記記録媒体を加熱して前記記録媒体に画像を定着させる定着部と、
前記定着部の定着温度を調整する調整部と、
前記画像形成装置が設置された環境の湿度を計測する湿度計測部と、
前記記録媒体に形成する前記画像の画素数を算出する画素数算出部と
を備え、
前記調整部は、前記湿度と前記画素数とに基づいて、前記定着温度を調整する、画像形成装置。
【請求項２】
複数の湿度情報と複数の画素数情報と複数の調整値とが関連付けられた調整値表を記憶する記憶部を更に備え、
前記複数の湿度情報の各々は、湿度を示し、
前記複数の画素数情報の各々は、画素数を示し、
前記調整部は、
前記調整値表と前記湿度計測部が計測した前記湿度と前記画素数算出部が算出した前記画素数とに基づいて、前記調整値表から１つの調整値を選択し、
前記１つの調整値に基づいて、前記定着温度を調整する、請求項１に記載の画像形成装置。
【請求項３】
前記湿度と前記画素数とに基づいて、前記調整部は、予め規定された定着温度に対して前記定着温度を下げる、請求項１または請求項２に記載の画像形成装置。
【請求項４】
前記調整部が調整した後の前記定着温度で前記定着部が前記記録媒体に前記画像を定着した後に、前記調整部が調整した後の前記定着温度を予め規定された定着温度に変更する変更部を更に備える、請求項３に記載の画像形成装置。
【請求項５】
前記画像形成装置は、第１動作モードと、前記第１動作モードと異なる第２動作モードとを更に有し、
前記第１動作モードは、前記定着温度の調整を実行しないモードを示し、
前記第２動作モードは、前記定着温度の調整を実行するモードを示す、請求項１から請求項４のいずれか１項に記載の画像形成装置。
【請求項６】
画像形成装置が実行する画像形成方法であって、
前記画像形成装置が設置された環境の湿度を取得する工程と、
記録媒体に形成する画像の画素数を算出する工程と、
前記湿度と前記画素数とに基づいて、前記記録媒体に前記画像を定着させる時の定着温度を調整する工程と、
前記定着温度で前記記録媒体に画像を定着させる工程と、
を含む、画像形成方法。
【発明の詳細な説明】
【技術分野】
【０００１】
本発明は、画像形成装置および画像形成方法に関する。
【背景技術】
【０００２】
特許文献１に記載された画像形成装置は、画像形成部と、定着部と、フィルターとを備える。画像形成部は、画像データに応じた静電潜像を像担持体に形成する。画像形成部は、静電潜像に基づいてトナー画像を形成する。画像形成部は、トナー画像を記録媒体に転写する。定着部は、トナー画像を加熱し、トナーを溶融する。定着部でトナー画像を加熱すると、トナーから臭気が発生する。フィルターは、臭気を消臭または緩和できる。
【先行技術文献】
【特許文献】
【０００３】
【特許文献１】特開２００７−１４７８３４号公報
【発明の概要】
【発明が解決しようとする課題】
【０００４】
しかしながら、特許文献１に記載の画像形成装置では、フィルターによって発生した臭気を消臭または緩和できるが、臭気の発生量を低減できない。
【０００５】
本発明は上記課題に鑑みてなされたものであり、臭気の発生量を低減できる画像形成装置および画像形成方法を提供することを目的とする。
【課題を解決するための手段】
【０００６】
本発明に係る画像形成装置は、記録媒体に画像を形成する。画像形成装置は、定着部と、調整部と、湿度計測部と、画素数算出部とを備える。前記定着部は、前記記録媒体を加熱して前記記録媒体に画像を定着させる。前記調整部は、前記定着部の定着温度を調整する。前記湿度計測部は、前記画像形成装置が設置された環境の湿度を計測する。前記画素数算出部は、前記記録媒体に形成する前記画像の画素数を算出する。前記調整部は、前記湿度と前記画素数とに基づいて、前記定着温度を調整する。
【０００７】
本発明に係る画像形成装置が実行する画像形成方法は、計測する工程と、算出する工程と、調整する工程と、定着させる工程とを含む。前記計測する工程は、前記画像形成装置が設置された環境の湿度を取得する。前記算出する工程は、前記記録媒体に形成する画像の画素数を算出する。前記調整する工程は、前記湿度と前記画素数とに基づいて、前記記録媒体に前記画像を定着させる時の定着温度を調整する。前記定着させる工程は、前記定着温度で記録媒体に画像を定着させる。
【発明の効果】
【０００８】
本発明によれば、臭気の発生を抑制できる。
【図面の簡単な説明】
【０００９】
【図１】本発明の実施形態に係る画像形成装置の構成を示す図である。
【図２】本実施形態に係る制御部の構成を示すブロック図である。
【図３】本実施形態に係る記憶部に記憶された調整値表を示す図である。
【図４】本実施形態に係る制御部が実行する処理のフローチャートを示す図である。
【発明を実施するための形態】
【００１０】
以下、本発明の実施形態について、図面を参照しながら説明する。なお、図中、同一または相当部分については同一の参照符号を付して説明を繰り返さない。また、本発明の実施形態において、Ｘ軸、Ｙ軸、およびＺ軸は互いに直交し、Ｘ軸およびＹ軸は水平方向に平行であり、Ｚ軸は鉛直方向に平行である。
【００１１】
まず、図１を参照して、本発明の実施形態１に係る画像形成装置１００の構成について説明する。図１は、画像形成装置１００の構成を示す図である。
【００１２】
図１に示すように、画像形成装置１００は、画像形成ユニット１、画像読取ユニット２、原稿搬送ユニット３、操作表示部４、制御部２１、および記憶部２２を備える。画像形成ユニット１は、記録媒体に画像を形成する。画像読取ユニット２は、原稿Ｒに形成された画像を読み取り、画像を示す画像データを生成する。原稿搬送ユニット３は、原稿Ｒを画像読取ユニット２に搬送する。
【００１３】
操作表示部４は、タッチパネルと、操作ボタンとを備える。タッチパネルは、表示装置とタッチセンサーとを備える。表示装置は種々の画像を表示する。表示装置は、例えば液晶表示装置（Ｌｉｑｕｉｄ  Ｃｒｙｓｔａｌ  Ｄｉｓｐｌａｙ：ＬＣＤ）である。タッチセンサーはユーザーからの操作を受け付ける。また、操作ボタンはユーザーからの操作を受け付ける。ユーザーからの操作は、例えば、印刷ジョブである。印刷ジョブは、画像データに基づいて、用紙に画像を形成する指示である。なお、印刷ジョブは、１枚の用紙に画像を形成する指示または複数枚の用紙に画像を形成する指示である。
【００１４】
画像形成ユニット１は搬送機構１１、給送部１２、画像形成部１４、定着部１５、排出部１６、および排気部２０を備える。画像形成ユニット１は、搬送路Ｌを有する。
【００１５】
搬送路Ｌは、給送部１２から排出部１６まで用紙Ｐを案内する。搬送路Ｌは、給送部１２から排出部１６まで延びる。
【００１６】
搬送機構１１は、用紙Ｐを搬送する。具体的には、搬送機構１１は、用紙Ｐを画像形成部１４および定着部１５を経由して排出部１６まで搬送する。
【００１７】
搬送機構１１は、搬送ローラー１１１と、レジストローラー１１２とを含む。
【００１８】
搬送ローラー１１１は、給送部１２から送出された用紙Ｐをレジストローラー１１２へ搬送する。搬送ローラー１１１は搬送路Ｌに配置される。
【００１９】
レジストローラー１１２は、画像形成部１４に用紙Ｐを搬送するタイミングを調整する。レジストローラー１１２は、所定の間隔で用紙Ｐを画像形成部１４へ搬送する。レジストローラー１１２は、搬送路Ｌに配置される。レジストローラー１１２は、画像形成部１４よりも用紙Ｐの搬送方向の上流側に配置される。
【００２０】
給送部１２は、用紙Ｐを搬送路Ｌへ供給する。用紙Ｐは、例えば、普通紙、コピー紙、再生紙、薄紙、厚紙、または光沢紙、またはＯＨＰ（Ｏｖｅｒｈｅａｄ  Ｐｒｏｊｅｃｔｏｒ）用紙である。用紙Ｐは、「記録媒体」の一例に相当する。
【００２１】
画像形成部１４は画像を用紙Ｐに形成する。具体的には、画像形成部１４は、トナー画像を用紙Ｐに形成する。画像形成部１４は、転写部と、像担持体と、帯電部と、露光部と、現像部とを備える。
【００２２】
像担持体は、ドラム形状であり、回転軸を有する。像担持体は、回転軸を中心に時計回りに回転する。像担持体は、外周面側に感光層を有する。像担持体は例えば感光体ドラムである。
【００２３】
帯電部は像担持体の感光層を所定の電位に帯電する。露光部は、像担持体の感光層にレーザー光を照射して露光する。露光部は画像データに基づいて像担持体を露光する。この結果、像担持体に静電潜像が形成される。
【００２４】
現像部は像担持体上の静電潜像を現像する。現像部は現像ローラーを有する。現像ローラーは、像担持体にトナーを供給し、像担持体上の静電潜像を現像してトナー画像を形成する。この結果、像担持体の外周面にトナー画像が形成される。
【００２５】
転写部は、像担持体の外周面に形成されたトナー画像を用紙Ｐに転写する。その結果、用紙Ｐにトナー画像が転写される。転写部は転写ローラーを含む。
【００２６】
定着部１５は、用紙Ｐを加熱し、用紙Ｐに画像を定着させる。具体的には、定着部１５は、用紙Ｐを加熱および加圧し、用紙Ｐに形成された画像を用紙Ｐに定着させる。定着部１５は、加熱ローラー１５１と加圧ローラー１５２とを含む。加熱ローラー１５１は、回転軸を有する円筒形状を有しており、回転軸を中心に回転する。加熱ローラー１５１は加熱装置によって加熱される。
【００２７】
排気部２０は、画像形成装置１００から発生した臭気を画像形成装置１００の外部へ排気する。具体的には、排気部２０は、定着部１５によって加熱された用紙Ｐから発生する臭気とトナーから発生する臭気とを画像形成装置１００の外部へ排気する。
【００２８】
用紙Ｐから発生する臭気は、用紙Ｐ自体から発生する。例えば、用紙Ｐを生成する過程で使用された薬品が残留する用紙Ｐを定着部１５が加熱する場合、用紙Ｐ自体から臭気が発生する。
【００２９】
トナーから発生する臭気は、用紙Ｐのトナー画像を形成するトナーから発生する。例えば、トナーから発生する臭気は、用紙Ｐのトナー画像を形成するトナーが定着部１５で加熱されることで発生する。
【００３０】
加熱装置は、例えば、ハロゲンヒーターである。加熱装置は、加熱ローラー１５１の内側に配置される。加熱装置は、例えば、加熱ローラー１５１を予め規定された定着温度Ｔｆに加熱する。定着温度は、用紙Ｐに形成されたトナー像を用紙Ｐに定着させる時の温度を示す。予め規定された定着温度Ｔｆは、例えば、「１６０度」である。予め規定された定着温度Ｔｆは、実験および／または経験に基づき定められる初期値である。
【００３１】
加圧ローラー１５２は、回転軸を有する円筒形状を有しており、回転軸を中心に回転する。加圧ローラー１５２の回転軸は加熱ローラー１５１の回転軸と略平行である。
【００３２】
加熱ローラー１５１は加圧ローラー１５２に押圧され、加熱ローラー１５１と加圧ローラー１５２との間にニップ部Ｎｆが形成される。用紙Ｐは加熱ローラー１５１と加圧ローラー１５２との間のニップ部Ｎｆを通過する。用紙Ｐがニップ部Ｎｆを通過する際に、加熱ローラー１５１は、用紙Ｐの両面のうちトナー画像の形成された面と接触してトナー画像を用紙Ｐに定着させる。
【００３３】
排出部１６は、用紙Ｐを画像形成装置１００の外部へ排出する。定着部１５がトナー画像を用紙Ｐに定着させた後、搬送機構１１は用紙Ｐを定着部１５から排出部１６まで搬送する。そして、排出部１６はトナー画像の定着した用紙Ｐを画像形成装置１００の外部に排出する。
【００３４】
制御部２１は、画像形成装置１００の動作を制御する。制御部２１は、ＣＰＵ（Ｃｅｎｔｒａｌ  Ｐｒｏｃｅｓｓｉｎｇ  Ｕｎｉｔ）のようなプロセッサーを含む。記憶部２２は、記憶装置を含み、データおよびコンピュータープログラムを記憶する。具体的には、記憶部２２は、半導体メモリーのような主記憶装置と、半導体メモリーおよび／またはハードディスクドライブのような補助記憶装置とを含む。記憶部２２は、リムーバブルメディアを含んでいてもよい。制御部２１のプロセッサーは、記憶部２２の記憶装置が記憶しているコンピュータープログラムを実行して、搬送機構１１、給送部１２、画像形成部１４、定着部１５、排出部１６、排気部２０、画像読取ユニット２、原稿搬送ユニット３、および操作表示部４を制御する。
【００３５】
また、画像形成装置１００は、筐体１０と湿度計測部Ｓ１とを更に備える。筐体１０は、搬送機構１１、給送部１２、画像形成部１４、定着部１５、排出部１６、排気部２０、制御部２１および記憶部２２を収容する。筐体１０は、空気流入口１０１を有する。
【００３６】
空気流入口１０１から空気が流入する。空気流入口１０１は、筐体１０の側面に配置される。具体的には、空気流入口１０１は、給送部１２の近傍に位置する。空気流入口１０１は、例えば、複数の長孔を含む。各長孔は、筐体１０の外部と内部とを貫通する。各長孔を介して外部からの空気が筐体１０の内部に流入する。
【００３７】
湿度計測部Ｓ１は、湿度ＨＧを計測する。具体的には、湿度計測部Ｓ１は、画像形成装置１００が設置された環境の湿度ＨＧを計測する。湿度ＨＧは、空気流入口１０１を介して画像形成部１４の外部から流入した空気の湿度である。湿度計測部Ｓ１によって検出された湿度ＨＧは、記憶部２２に記憶される。湿度計測部Ｓ１は、筐体１０の内部に位置する。具体的には、湿度計測部Ｓ１は、筐体１０の内部において空気流入口１０１の近傍に位置する。
【００３８】
次に、図２を参照して、制御部２１の構成について説明する。図２は、制御部２１の構成を示すブロック図である。
【００３９】
制御部２１は、調整部２１１、画素数算出部２１２、および変更部２１３を含む。具体的には、制御部２１のプロセッサーは、記憶部２２の記憶装置に記憶されたコンピュータープログラムを実行することによって、画素数算出部２１２、調整部２１１、および変更部２１３として機能する。
【００４０】
画素数算出部２１２は、用紙Ｐに形成する画像の画素数を算出する。具体的には、画素数算出部２１２は、用紙Ｐに形成する画像を示す画像データから画素数を算出する。画像データは、複数の画素の集合である。画素の各々には、濃度または輝度を示すデータが含まれる。画素数算出部２１２が算出した画素数の算出結果は、記憶部２２に記憶される。
【００４１】
以下、「用紙Ｐに形成する画像の画素数」を「画素数ＰＮ」と記載する場合がある。
【００４２】
調整部２１１は、定着部１５の定着温度を調整する。具体的には、調整部２１１は、湿度ＨＧと画素数ＰＮとに基づいて、定着温度を調整する。したがって、本実施形態によれば、定着部１５で用紙Ｐを加熱した際に発生する臭気の発生量を低減できる。
【００４３】
臭気の発生量を低減できる理由は次の通りである。すなわち、湿度ＨＧが高いほど、用紙Ｐの含水率が増加する。そして、用紙Ｐの含水率が増加するほど、定着部１５で用紙Ｐを加熱した際に発生する臭気が増加する。換言すれば、用紙Ｐの含水率は湿度ＨＧに比例するため、湿度が高くなるほど、定着部１５で用紙Ｐを加熱した際に発生する臭気が増加する。
【００４４】
加えて、画素数ＰＮが多いほど、画像を形成しているトナーの量も増加する。そして、トナーの量が増加するほど、定着部１５で用紙Ｐのトナーを加熱した際に発生する臭気が増加する。換言すれば、トナーの量は画素数ＰＮに比例するため、画素数ＰＮが多いほど、定着部１５で用紙Ｐのトナーを加熱した際に発生する臭気が増加する。
【００４５】
一方、定着部１５の定着温度が高いほど、臭気の発生量が増加する。
したがって、湿度ＨＧと画素数ＰＮとに基づいて、定着部１５の定着温度を調整することで、臭気の発生量を低減できる。例えば、湿度ＨＧが高いほど定着温度を低くして、臭気の発生量を抑制する。例えば、画素数ＰＮが多いほど定着温度を低くして、臭気の発生量を抑制する。
【００４６】
特に、本実施形態では、調整部２１１は、湿度ＨＧと画素数ＰＮとに基づいて、予め規定された定着温度に対して定着部１５の定着温度を下げる。例えば、定着温度が「１５８度」の場合の用紙Ｐから発生する臭気の発生量とトナーから発生する臭気の発生量とは、定着温度が「１６０度」の場合の用紙Ｐから発生する臭気の発生量とトナーから発生する臭気の発生量と比較して少ない。したがって、予め規定された定着温度から定着部１５の定着温度を下げることで、用紙Ｐから発生する臭気と、トナーから発生する臭気とを抑制できる。
【００４７】
変更部２１３は、印刷ジョブが完了した後に、調整部２１１が調整した後の定着温度を予め規定された定着温度Ｔｆに変更する。具体的には、変更部２１３は、調整部２１１が調整した後の定着温度で定着部１５が用紙Ｐにトナー画像を定着した後に、調整部２１１が調整した後の定着温度を予め規定された定着温度Ｔｆに変更する。つまり、印刷ジョブが完了する毎に、変更部２１３が定着温度を予め規定された定着温度Ｔｆに変更して、定着温度をリセットする。
【００４８】
したがって、定着部１５が用紙Ｐにトナー画像を定着可能な温度よりも、定着部１５の定着温度が下がることを抑制できる。仮に変更部２１３が定着温度をリセットしない場合、例えば、印刷ジョブ毎に定着部１５の定着温度が下がり続ける可能性がある。したがって、定着部１５が用紙Ｐにトナー画像を定着可能な温度よりも、定着部１５の定着温度が下がり得る。そこで、印刷ジョブが完了する毎に、変更部２１３が、調整部２１１が調整した後の定着温度を予め規定された定着温度Ｔｆに変更することで、定着温度が下がり続けることを抑制する。なお、本発明は、定着温度をリセットしない構成を排除するものではない。
【００４９】
また、制御部２１は、ユーザーからの操作に基づいて、画像形成装置１００の動作モードを、第１動作モードと第２動作モードとの間で切り替える。第１動作モードは、定着温度の調整を実行しないモードを示す。第２動作モードは第１動作モードと異なる。つまり、第２動作モードは、定着温度の調整を実行するモードを示す。画像形成装置１００が第１動作モードと第２動作モードとを有することで、ユーザーは表示操作部を操作して、動作モードを第１動作モードと第２動作モードとの間で切り替えることができる。つまり、ユーザーは所望の動作モードを設定できる。この結果、ユーザーの利便性が向上する。
【００５０】
次に、図２と図３とを参照して記憶部２２に記憶された調整値表ＴＲを説明する。図３は、記憶部２２に記憶された調整値表ＴＲを示す図である。
【００５１】
図２に示す記憶部２２は、図３に示す調整値表ＴＲを記憶する。調整値表ＴＲは、複数の湿度情報と複数の画素数情報と複数の調整値とが関連付けられたテーブルを示す。
【００５２】
図３に示すように、調整値表ＴＲにおいて、複数の湿度情報は、「０％」〜「９０％」の湿度情報を含む。複数の湿度情報の各々は、湿度ＨＧを示す。本実施形態では、調整値表ＴＲの「Ｘ％」の湿度情報は、「Ｘ％以上（Ｘ＋１０）％未満」の湿度ＨＧを示す。例えば、調整値表ＴＲの「５０％」の湿度情報は、５０％以上６０％未満の湿度ＨＧを示す。
【００５３】
図３に示すように、調整値表ＴＲにおいて、複数の画素数情報は、「０ドット」から「７０，０００，０００ドット」までの画素数情報を含む。複数の画素数情報の各々は、画素数ＰＮを示す。本実施形態では、調整値表ＴＲの「Ｙドット」の画素数情報は、「Ｙドット以上（Ｙ＋７，０００，０００）ドット未満」の画素数ＰＮを示す。例えば、調整値表ＴＲの「３５，０００，０００ドット」の画素数情報は、３５，０００，０００ドット以上４２，０００，０００ドット未満の画素数ＰＮを示す。
【００５４】
図３に示すように、調整値表ＴＲにおいて、複数の調整値は、例えば、「０度」、「２度」、「３度」、「４度」、および「５度」を含む。複数の調整値は、実験および／または経験に基づき定められる。調整値は、定着部１５が用紙Ｐにトナー画像を定着可能な温度に設定される。調整値は、定着部１５が用紙Ｐにトナー画像を定着可能な温度以下にならないことが好ましい。したがって、複数の調整値は、図３に示す値に限定されない。各調整値は、予め規定された定着温度Ｔｆに対する調整値を示す。調整値表ＴＲでは、複数の湿度情報と複数の画素数情報とに対応して、複数の調整値がマトリクス状に配置されている。したがって、調整値表ＴＲでは、１つの湿度情報と１つの画素数情報とから１つの調整値が一義的に定まる。例えば、「５０％」の湿度情報と「３５，０００，０００ドット」の画素数情報とから、「３度」の調整値が一義的に定まる。なお、調整値は、湿度ＨＧと画素数ＰＮとを変数とする関数に基づいて演算によって導出されてもよい。
【００５５】
引き続き、図２と図３とを参照して、調整部２１１の調整処理について具体的に説明する。調整処理は、画像形成装置１００が第２動作モードの場合に実行される。調整処理は、調整部２１１が定着部１５の定着温度を調整する処理を示す。調整処理は、予め規定された定着温度Ｔｆで定着部１５が用紙Ｐに画像を定着させた際に発生する臭気が多い場合に実行される。
【００５６】
調整処理を行う場合、調整部２１１は、記憶部２２から湿度ＨＧと画素数ＰＮとを取得する。具体的には、調整部２１１は画像形成装置１００が印刷ジョブを受け付けた時に、湿度ＨＧと画素数ＰＮとを取得する。
【００５７】
そして、調整部２１１は、湿度ＨＧと画素数ＰＮとに基づいて、定着温度を調整する。具体的には、調整部２１１は、調整値表ＴＲと湿度計測部Ｓ１が計測した湿度ＨＧと画素数算出部２１２が算出した画素数ＰＮとに基づいて、調整値表ＴＲから１つの調整値を選択する。そして、調整部２１１は、選択された１つの調整値に基づいて定着温度を調整する。したがって、本実施形態によれば、調整値表ＴＲに基づく簡素な処理によって容易に定着温度を調整できる。
【００５８】
特に、本実施形態では、調整部２１１は、選択された１つの調整値を予め規定された定着温度Ｔｆから減算して、減算結果を調整後の定着温度に設定する。したがって、本実施形態によれば、湿度ＨＧと画素数ＰＮとに応じて定着温度を下げることで、臭気の発生量を抑制できる。
【００５９】
更に具体的には、調整部２１１が調整値表ＴＲから１つの調整値を選択する場合、調整部２１１は、湿度ＨＧが含まれる湿度情報を示す列と画像の画素数ＰＮが含まれる画素数情報を示す行とが交差する位置の調整値を調整値表ＴＲから選択する。
【００６０】
例えば、湿度計測部Ｓ１が計測した湿度ＨＧが「５５％」であり、画素数算出部２１２が算出した画素数が「１４，５００，０００ドット」である場合、湿度計測部Ｓ１が計測した湿度ＨＧに基づいて、調整部２１１は調整値表ＴＲから「５０％」の湿度情報を示す列に含まれる調整値を参照する。次に、画素数算出部２１２が算出した画素数に基づいて、調整値は調整値表ＴＲから「１４，０００，０００ドット」の画素数情報を示す行に含まれる調整値を参照する。そして、調整部２１１は「５０％」の湿度情報を示す列と「１４，０００，０００ドット」の画素数情報を示す行とが交差する位置の調整値を調整値表ＴＲから選択する。「５０％」の湿度情報を示す列と「１４，０００，０００ドット」の画素数情報を示す行とが交差する位置の調整値は、「２度」である。
【００６１】
更に、選択した１つの調整値に基づいて、調整部２１１は、定着部１５の定着温度を下げる。例えば、選択した１つの調整値が「２度」である場合、調整部２１１は、定着部１５の定着温度を予め規定された定着温度Ｔｆから「２度」下げる。具体的には、調整部２１１は、定着温度が「１６０度」が「１５８度」になるように定着温度を下げる。
【００６２】
そして、定着部１５は、調整された定着温度で用紙Ｐに画像を定着させる。その後、画像が形成された用紙Ｐは、排出部１６から画像形成装置１００の外部へ排出される。
【００６３】
また、印刷ジョブが完了した場合、変更部２１３は調整後の定着温度を、予め規定された定着温度Ｔｆに変更する。例えば、定着部１５が「１５８度」で用紙Ｐに画像を定着した後、変更部２１３は「１５８度」の定着温度を「１６０度」の予め規定された定着温度Ｔｆに変更する。
【００６４】
次に、図１〜図４を参照して、制御部２１が実行する処理を説明する。図４は、制御部２１が実行する処理のフローチャートを示す。制御部２１が実行する処理は、ステップＳ１０１〜ステップＳ１１７を含む。
【００６５】
ステップＳ１０１において、制御部２１は、印刷ジョブを受け付ける。例えば、制御部２１は、操作表示部４を介してユーザーから印刷ジョブを受け付ける。または、例えば、制御部２１は、外部のコンピューターから印刷ジョブを受け付ける。処理は、ステップＳ１０３に進む。
【００６６】
ステップＳ１０３において、制御部２１は、画像形成装置１００が第２動作モードであるか否かを判定する。画像形成装置１００が第２動作モードでない場合（ステップＳ１０３において、Ｎｏ）、処理は、ステップＳ１１７に進む。画像形成装置１００が第２動作モードである場合（ステップＳ１０３において、Ｙｅｓ）、処理は、ステップＳ１０５に進む。
【００６７】
ステップＳ１０５において、制御部２１は、記憶部２２から湿度ＨＧを取得する。記憶部２２は、印刷ジョブを受け付けた時に湿度計測部Ｓ１が計測した湿度ＨＧを記憶している。処理は、ステップＳ１０７に進む。
【００６８】
ステップＳ１０７において、制御部２１は、記憶部２２から画素数ＰＮを取得する。画素数は、画素数算出部２１２が算出する。画素数算出部２１２は、印刷ジョブに含まれる画像データの画素数を算出する。処理は、ステップＳ１０９に進む。
【００６９】
ステップＳ１０９において、調整部２１１は、調整値表ＴＲと、湿度計測部Ｓ１が計測した湿度ＨＧと、画素数算出部２１２が算出した画素数ＰＮとに基づいて、調整値表ＴＲから１つの調整値を選択する。処理は、ステップＳ１１１に進む。
【００７０】
ステップＳ１１１において、選択された１つの調整値に基づいて、調整部２１１は定着温度を調整する。具体的には、選択された１つの調整値に基づいて、調整部２１１は定着部１５が用紙Ｐに画像を定着させる時の定着温度を下げる。
【００７１】
ステップＳ１１３において、制御部２１は、画像形成部１４が用紙Ｐに画像を形成するように、画像形成部１４を制御する。具体的には、制御部２１は、調整部２１１によって調整された定着温度で定着部１５が用紙Ｐにトナー画像を定着させるように、定着部１５を制御する。処理は、ステップＳ１１５に進む。
【００７２】
ステップＳ１１５において、変更部２１３は、印刷ジョブが完了した後に、調整後の定着温度を予め規定された定着温度Ｔｆに変更する。具体的には、変更部２１３は、調整後の定着温度で定着部１５が用紙Ｐに画像を定着した後に、予め規定された定着温度Ｔｆに変更する。処理は終了する。
【００７３】
ステップＳ１０３でＮｏの場合、ステップＳ１１７において、制御部２１は、画像形成部１４が用紙Ｐに画像を形成するように、画像形成部１４を制御する。画像形成装置１００が第１動作モードであるため、定着部１５は、予め規定された定着温度Ｔｆで用紙Ｐに画像を定着させる。処理は終了する。
【００７４】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００７５】
本発明は、画像形成装置および画像形成方法の分野に利用可能である。
【符号の説明】
【００７６】
１５      定着部
２２      記憶部
１００    画像形成装置
２１１    調整部
２１２    画素数算出部
２１３    変更部
ＨＧ      湿度
Ｐ        用紙
Ｓ１      湿度計測部
ＴＲ      調整値表
【図１】
2020086361.tif 000003
【図２】
2020086361.tif 000004
【図３】
2020086361.tif 000005
【図４】
2020086361.tif 000006